(57)【要約】      （修正有）【課題】建築物の組み立てが容易で、倒壊しにくく、軽量で耐久性や断熱性などに優れた建築物用部材を提供する。【解決手段】建築物用部材１０は、基材１２と被覆層１４を備えている。基材１２は、発泡樹脂から構成され、前面部１２ａ、後面部１２ｂ、上面部、下面部、左側面部１２ｅ、および右側面部１２ｆを備えている。被覆層１４は、合成樹脂から構成され、基材の前面部１２ａに設けられている。後面部１２ｂには、突出部１２ｐ，１２ｑ，１２ｒ，１２ｓ，１２ｔ，１２ｕ，１２ｖ，１２ｗが成形されている。二つの建築物用部材がそれぞれの突出部で嵌まり合って連結された状態で、建築物用部材が前後方向に離れずに上下方向に可動で、かつ建築物用部材の後面部で上下方向の貫通孔Ｈが形成されている。【選択図】図３
0003208556.tif 000002
【実用新案登録請求の範囲】
【請求項１】
前面部、後面部、上面部、下面部、左側面部、および右側面部を備え、発泡樹脂を含む基材と、
少なくとも前記前面部に設けられ、樹脂を含有する被覆層と、
を有する建築物用部材であって、
前記後面部が複数の突出部を備え、
二つの前記建築物用部材がそれぞれの一つ以上の前記突出部で嵌まり合って前記後面部同士で連結された状態で、前記二つの建築物用部材が前後方向に離れずに上下方向に可動で、かつ前記二つの建築物用部材の前記後面部で上下方向の貫通孔が形成されるように、前記複数の突出部が成形されている建築物用部材。
【請求項２】
請求項１において、
前記複数の突出部の少なくとも一つの形状が、直線と曲線で囲まれた図形を底面とする柱体である建築物用部材。
【請求項３】
請求項２において、
前記曲線が、Ｓ字状曲線および鏡像Ｓ字状曲線の少なくとも一方である建築物用部材。
【請求項４】
請求項２において、
前記底面が、Ｓ字状曲線と鏡像Ｓ字状曲線の対辺、および二つの直線の対辺で囲まれた図形である建築物用部材。
【請求項５】
請求項１から４のいずれかにおいて、
前記複数の突出部が、同じ形状の繰り返し部分を左右方向に備える建築物用部材。
【請求項６】
請求項１から５のいずれかにおいて、
二つの前記建築物用部材を上下方向に重ねた状態で、下方の前記建築物用部材の上面部と上方の前記建築物用部材の下面部が嵌まり合うように、前記上面部と前記下面部に凹凸が形成されている建築物用部材。
【請求項７】
請求項１から６のいずれかにおいて、
二つの前記建築物用部材を接するように左右方向に並べた状態で、右方の前記建築物用部材の左側面部と左方の前記建築物用部材の右側面部が嵌まり合うように、前記左側面部と前記右側面部に凹凸が形成されている建築物用部材。
【考案の詳細な説明】
【技術分野】
【０００１】
本考案は、建築物の組み立てが容易で、軽量な建築物用部材に関するものである。
【背景技術】
【０００２】
フェンスや家屋の壁材などの建築物用部材として、コンクリートブロックが使用されている。しかし、コンクリートブロックから作製された建築物用部材は、地震等で倒壊したときの危険性の問題がある。また、コンクリートブロックでフェンスを作製する場合、あらかじめ鉛直方向に設けられた鉄筋の上方にブロックを持ち上げてから、この鉄筋がブロックの穴を通るようにブロックを降ろし、これを繰り返して複数のブロックを下から積み上げていく。しかしながら、コンクリートブロックが重いので、鉛直方向の鉄筋の上方にブロックを移動するのは大変である。
【０００３】
そこで、コンクリートブロックと同じ形状で、コンクリートブロックより軽量な発泡スチロール製ブロックを使用すれば、フェンスを作製するときにブロックを持ち上げる労力が軽減される。しかし、依然として、鉛直方向の鉄筋の上方に発泡スチロール製ブロックを持ち上げる必要がある。また、発泡スチロール製ブロックの耐久性は、コンクリートブロックの耐久性より劣る。このため、建築物の組み立てが容易で、倒壊しにくく、倒壊した場合でも安全で、耐久性、断熱性、および防音性に優れ、軽量な建築物用部材の出現が望まれている。
【考案の概要】
【考案が解決しようとする課題】
【０００４】
本考案はこのような事情に鑑みてなされたものであり、建築物の組み立てが容易で、倒壊しにくく、倒壊した場合でも安全で、軽量で、耐久性、断熱性、および防音性に優れた建築物用部材を提供することを目的とする。
【課題を解決するための手段】
【０００５】
本考案の建築物用部材は、前面部、後面部、上面部、下面部、左側面部、および右側面部を備え、発泡樹脂を含む基材と、少なくとも前面部に設けられ、樹脂を含有する被覆層とを有し、後面部が複数の突出部を備え、二つの建築物用部材がそれぞれの一つ以上の突出部で嵌まり合って後面部同士で連結された状態で、二つの建築物用部材が前後方向に離れずに上下方向に可動で、かつ二つの建築物用部材の後面部で上下方向の貫通孔が形成されるように、複数の突出部が成形されている。
【考案の効果】
【０００６】
本考案によれば、建築物の組み立てが容易で、倒壊しにくく、倒壊した場合でも安全で、軽量で、耐久性、断熱性、および防音性に優れた建築物用部材が得られる。
【図面の簡単な説明】
【０００７】
【図１】本発明の実施形態に係る建築物用部材の後方からの斜視図。
【図２】本発明の実施形態に係る建築物用部材が二つ連結されたときの斜視図。
【図３】図２のＩＩＩ−ＩＩＩ線断面図。
【図４】本発明の実施形態に係る建築物用部材を用いたフェンスの作製過程を示す斜視図。
【図５】本発明の実施形態に係る建築物用部材を用いたフェンスの作製過程を示す斜視図。
【図６】本発明の実施形態に係る建築物用部材を用いたフェンスの作製過程を示す斜視図。
【図７】本発明の実施形態に係る建築物用部材を用いたフェンスの作製過程を示す斜視図。
【図８】本発明の実施形態に係る建築物用部材を用いたフェンスの作製過程を示す斜視図。
【図９】本発明の実施形態に係る二種類の建築物用部材を用いて組み立てた他のフェンスの水平断面模式図。
【図１０】本発明の実施形態に建築物用部材をずらして組み立てた他のフェンスの水平断面模式図。
【図１１】本発明の実施形態に係る建築物用部材と他の建築物用部材を用いて組み立てたフェンスの水平断面模式図。
【図１２】本発明の実施形態に係る建築物用部材を用いて組み立てた他のフェンスの水平断面模式図。
【考案を実施するための形態】
【０００８】
以下、本考案の建築物用部材について、図面を参照しながら各実施形態に基づいて説明する。図面は、建築物用部材、建築物用部材の構成物、および建築物用部材の周辺物を模式的に表したものであり、これらの実物の寸法および寸法比は、図面上の寸法および寸法比と必ずしも一致していない。なお、重複説明は適宜省略し、同一部材には同一符号を付与することがある。
【０００９】
図１は、本考案の実施形態に係る建築物用部材１０を示している。建築物用部材１０は、基材１２と、被覆層１４を備えている。基材１２は発泡樹脂から構成されている。本実施形態では、基材１２が発泡樹脂のみから構成されているが、基材は原材料として発泡樹脂を含んでいればよい。軽量化のためには、基材の材料の主成分が発泡樹脂であることが好ましい。発泡樹脂としては、発泡ポリウレタン、発泡ポリスチレン、発泡ポリエチレン、および発泡ポリプロピレンなどが例示できる。
【００１０】
図２は、二つの建築物用部材１０，１０が基材１２の後面部１２ｂ同士で連結された状態を示している。基材１２は、前面部１２ａ、後面部１２ｂ、上面部１２ｃ、下面部１２ｄ、左側面部１２ｅ、および右側面部１２ｆを備えている。本願では、基材１２の前面部１２ａ、後面部１２ｂ、上面部１２ｃ、下面部１２ｄ、左側面部１２ｅ、および右側面部１２ｆの方向を、それぞれ建築物用部材１０の前方、後方、上方、下方、左方、および右方とする。建築物用部材１０では、前面部１２ａが平坦で、後面部１２ｂが複数の突出部１２ｐ，１２ｑ，１２ｒ，１２ｓ，１２ｔ，１２ｕ，１２ｖ，１２ｗを備え、上面部１２ｃ、下面部１２ｄ、左側面部１２ｅ、および右側面部１２ｆには凹凸が形成されている。
【００１１】
図３は、図２に示す二つの建築物用部材１０，１０をＩＩＩ−ＩＩＩ線で切断したときの断面を示している。突出部１２ｐ，１２ｑ，１２ｒ，１２ｓ，１２ｔ，１２ｕ，１２ｖ，１２ｗは、以下のような形状を有している。つまり、突出部１２ｐ，１２ｑ，１２ｒ，１２ｓ，１２ｔ，１２ｕ，１２ｖ，１２ｗは、二つの建築物用部材１０，１０が連結された状態で、以下のように成形されている。
【００１２】
すなわち、二つの建築物用部材１０，１０が、突出部１２ｐ，１２ｑ，１２ｒ，１２ｓ，１２ｔ，１２ｕ，１２ｖ，１２ｗで嵌まり合って後面部１２ｂ同士で連結された状態で、二つの建築物用部材１０，１０が前後方向に離れずに上下方向に可動で、かつ二つの建築物用部材１０，１０の後面部１２ｂ，１２ｂで上下方向の貫通孔Ｈが形成されるように、突出部１２ｐ，１２ｑ，１２ｒ，１２ｓ，１２ｔ，１２ｕ，１２ｖ，１２ｗが成形されている。このため、二つの建築物用部材１０，１０が後面部１２ｂ同士で連結された状態で、一つのブロックのように、建築物の構成部材とすることができる。さらに、詳細は後述するが、建築物を組み立てるときに、鉛直方向に設けられた鉄筋や支柱の上方に建築物用部材１０を持ち上げる必要がない。
【００１３】
なお、本実施形態では、全ての突出部１２ｐ，１２ｑ，１２ｒ，１２ｓ，１２ｔ，１２ｕ，１２ｖ，１２ｗで嵌まり合って二つの建築物用部材１０，１０が後面部１２ｂ同士で連結されているが、二つの建築物用部材１０，１０のそれぞれ一つ以上の突出部同士で嵌まり合っていればよい。また、二つの建築物用部材１０，１０が二通り以上の嵌まり方によって連結できる場合、それらの中の一つ以上の嵌まり方によって、上記要件、すなわち、（１）前後方向に離れずに上下方向に可動、（２）後面部１２ｂ，１２ｂで上下方向の貫通孔Ｈが形成されること、を満たせばよい。二つの建築物用部材１０，１０が上下方向に可動とは、一方の建築物用部材１０が固定された状態で他方の建築物用部材１０が上下に動かせること、または一方の建築物用部材１０を下方または上方に動かしながら、他方の建築物用部材１０を上方または下方に動かせることをいう。
【００１４】
突出部の材質、数量、および成形方法等には特に制限がない。突出部１２ｐ，１２ｑ，１２ｒ，１２ｓ，１２ｔ，１２ｕ，１２ｖ，１２ｗの形状は、合同な二つの底面と柱面で囲まれた立体、すなわち柱体である。柱体は、合同な二つの底面と筒状の側面で囲まれた空間図形ともいえる。そして、本実施形態の柱体の二つの底面は、平行であり、直線と曲線で囲まれた合同な図形である。ここで、本願でいう突出部の底面とは、突出部１２ｐ，１２ｑ，１２ｒ，１２ｓ，１２ｔ，１２ｕ，１２ｖ，１２ｗを、後面部１２ｂの平坦面から切り離したときの柱体の底面である。なお、図３に示す突出部１２ｐ，１２ｑ，１２ｒ，１２ｓ，１２ｔ，１２ｕ，１２ｖ，１２ｗの断面は、それぞれの突出部の底面と合同である。
【００１５】
具体的には、図３に示すように、突出部１２ｐ，１２ｒ，１２ｔ，１２ｖの底面は、長方形（正方形を含む。以下同じ）の一辺を鏡像Ｓ字状曲線に変えた図形であり、突出部１２ｑ，１２ｓ，１２ｕ，１２ｗの底面は、長方形の一組の対辺をＳ字状曲線と鏡像Ｓ字状曲線に変えた図形、すなわち、Ｓ字状曲線と鏡像Ｓ字状曲線の対辺と二つの直線の対辺とで囲まれた図形である。
【００１６】
本実施形態では、突出部１２ｐ，１２ｒ，１２ｔ，１２ｖの底面は、長方形の一辺を鏡像Ｓ字状曲線に変えた図形であるが、長方形の一辺をＳ字状曲線に変えた図形であってもよい。また、突出部の底面は、長方形の一辺をＳ字状曲線もしくは鏡像Ｓ字状曲線に変えた図形、または長方形の一組の対辺をＳ字状曲線と鏡像Ｓ字状曲線に変えた図形ではなく、直線と曲線で囲まれた他の図形であってもよい。さらに、全て突出部の底面が直線と曲線で囲まれた図形ではなく、一つ以上の突出部の底面が直線と曲線で囲まれた図形であればよい。
【００１７】
本実施形態では、二つの建築物用部材１０，１０を上下方向に重ねた状態で、下方の建築物用部材１０の上面部１２ｃと上方の建築物用部材１０の下面部１２ｄが嵌まり合うように、上面部１２ｃと下面部１２ｄに凹凸が形成されている。また、本実施形態では、二つの建築物用部材１０，１０を接するように左右方向に並べた状態で、右方の建築物用部材１０の左側面部１２ｅと左方の建築物用部材１０の右側面部１２ｆが嵌まり合うように、左側面部１２ｅと右側面部１２ｆに凹凸が形成されている。なお、左側面部１２ｅと右側面部１２ｆに形成された凹凸は、二つの建築物用部材１０，１０を接するように左右方向に並べた状態で、上下方向に可動である。すなわち、二つの建築物用部材１０，１０は、上下方向に移動して嵌め合せることもできるし、左右方向に移動して嵌め合せることもできる。
【００１８】
被覆層１４は、基材１２の少なくとも前面部１２ａの表面に設けられている。前面部１２ａの表面以外にも、上面部１２ｃ、下面部１２ｄ、左側面部１２ｅ、および右側面部１２ｆのうち、建築物を組み立てたときに露出する部分に被覆層１４を設けることが好ましい。後面部１２ｂには、被覆層１４が設けられていない。基材１２の少なくとも前面部１２ａの表面に被覆層１４を設けることにより、防食、防腐、防汚、防水、耐薬品、耐火、遮熱、撥水、蛍光、および蓄光等の機能を基材１２に付与できる。
【００１９】
また、基材１２の表面に被覆層１４を設けることにより、光沢、模様、平滑性、および色彩等を基材１２に付与できる。従来の発泡スチロール製ブロックの前面と後面に被覆層を設けて量産する場合、一方の面に上から被覆材料を塗布した後、乾いてから他方の面に上から被覆材料を塗布しなければならない。このため、被覆層を設ける工程で時間がかかる。しかし、本実施形態では、後面部１２ｂに被覆層１４を設ける必要がないので、一方の面に上から被覆材料を塗布することによって、建築物用部材１０が効率的に量産できる。
【００２０】
被覆層１４は、原材料として合成樹脂などの樹脂を含有している。合成樹脂としては、アクリル樹脂、フッ素樹脂、およびシリコーン樹脂などが例示できる。被覆層１４は、例えば、アクリル酸エステルのエマルション等の合成樹脂や合成樹脂の原料を含有する塗料を、基材１２の前面部１２ａの表面に塗布し、乾燥させることによって得られる。この塗料には、有機または無機の顔料、増粘剤、分散剤、および消泡剤などが含まれていてもよい。
【００２１】
図４から図８は、建築物用部材１０を用いてフェンスを組み立てる工程の一例を示している。なお、図４以降は、被覆層１４の図示を省略している。まず、図４に示すように、地面や基台等に支柱１６の下部を埋設・固定することによって、鉛直方向に五本の支柱１６を設けた後、建築物用部材１０，１０を水平方向に移動して、突出部１２ｑ，１２ｒの間、突出部１２ｕ，１２ｖの間、突出部１２ｗ，１２ｐの間、突出部１２ｑ，１２ｒの間、および突出部１２ｕ，１２ｖの間を、支柱１６に装着する。
【００２２】
このとき、建築物用部材１０，１０を予め左右に嵌め合せてから支柱１６に装着してもよいし、一方の建築物用部材１０を水平方向に移動して支柱１６に装着してから、この建築物用部材１０の斜め上で他方の建築物用部材１０を支柱１６に装着してから、下方向に移動して一方の建築物用部材１０に嵌め合せてもよい。建築物用部材１０を地面や基台等に仮置きしてから支柱１６の位置決めをして、建築物用部材１０を撤去した後に支柱１６を地面や基台等に固定してもよい。
【００２３】
つぎに、図５に示すように、建築物用部材１０を支柱１６に装着してから下方向に移動して、隣り合った建築物用部材１０に嵌め合せるとともに、支柱１６を挟んで対向している建築物用部材１０に嵌め合せる。このとき、従来の発泡スチロール製ブロックと異なり、建築物用部材１０を支柱１６の上端より高く持ち上げる必要がない。このため、フェンスの組み立て労力と時間が軽減できる。こうして、貫通孔Ｈの内部に支柱１６が収納される。なお、全ての貫通孔Ｈに支柱１６が収納されるように支柱１６を設置しておいてもよいし、一部の貫通孔Ｈのみに支柱１６が収納されるように支柱１６を設置しておいてもよい
【００２４】
そして、図６に示すように、建築物用部材１０を積み上げた後、最上段の建築物用部材１０の上に笠木１８を接着する。本実施形態では、笠木１８も、発泡樹脂製基材と、合成樹脂被覆層とから構成されている。こうしてフェンスが組み立てられる。なお、上面Ｌ字状にフェンスを組み立てる場合は、以下の工程で行う。まず、図７に示すように、建築物用部材１０，１０の前面同士が垂直に接するように建築物用部材１０を組み上げる。つぎに、左側面部１２ｅ，１２ｅの凸部をナイフ等で切り落とす（不図示）。そして、図８に示すように、例えば金属筒の周囲が樹脂で覆われている支柱２０を角部に固定する。なお、フェンスの端部側面には、エンドキャップを装着して接着固定してもよい。この場合、エンドキャップも、発泡樹脂製基材と、合成樹脂被覆層とから構成されていることが好ましい。
【００２５】
図９は、建築物用部材１０と、建築物用部材１０より厚い建築物用部材３０を用いて組み立てたフェンスの水平断面を模式的に示している。このように、厚さが異なる建築物用部材１０，３０を交互に用いてフェンスを組み立てれば、意匠性に優れたフェンスが得られる。
【００２６】
図１０は、建築物用部材１０を交互にずらして組み立てたフェンスの水平断面を模式的に示している。このフェンスは、図４から図９のフェンスと異なり、建築物用部材１０の境界が一直線上にない。つまり、支柱１６を挟んで一方の建築物用部材１０の境界と、他方の建築物用部材１０の境界とが、建築物用部材１０の半分ずつずれている。このため、このフェンスは強度が高い。このようなフェンスが組み立てられるのは、建築物用部材１０が、同じ形状の繰り返し部分である突出部１２ｐ，１２ｑ、突出部１２ｒ，１２ｓ、突出部１２ｔ，１２ｕ、および突出部１２ｖ，１２ｗを左右方向に備えているからである。なお、このような同じ形状の突出部の組が左右方向に四個なくてもよく、二個以上あればよい。
【００２７】
図１１は、建築物用部材１０と他の建築物用部材４０を用いて組み立てたフェンスの水平断面を模式的に示している。建築物用部材４０は、例えばベニヤ板等から構成される板材４２と、支柱１６とを備えている。板材４２は、ビスやボルト・ナットなどの金属部材や接着剤等で支柱１６に固定されている。突出部１２ｐ，１２ｑと板材４２で囲まれた孔に収納された支柱１６の周囲の空隙Ｒにモルタル等を充填することによって、建築物用部材１０と建築物用部材４０を固定する。
【００２８】
図１２は、建築物用部材１０を用いて組み立てた他のフェンスの水平断面を模式的に示している。このフェンスでは、建築物用部材１０が突出部同士で嵌まり合っておらず、突出部の最も後ろの部分同士が接するように、建築物用部材１０が設置されている。このとき、二種類の形状の孔が形成されるが、一方の孔には樹脂製の連結材４４が挿入されており、他方の孔には鉄筋とモルタルが充填されている。このため、このフェンスの強度は、一般のコンクリートブロックで作製したフェンスの強度と同程度である。
【００２９】
建築物用部材１０を用いれば、玄関の目隠しフェンス、玄関まわりや勝手口まわりの収納庫、車庫まわりの物入れ、ウッドデッキのフェンス兼物置、離れ小屋や離れ部屋の壁、およびガーデニング用品を収納する物入れなどが作製できる。
【符号の説明】
【００３０】
１０  建築物用部材
１２  基材
１２ａ  前面部、    １２ｂ  後面部、    １２ｃ  上面部、    １２ｄ  下面部
１２ｅ  左側面部、  １２ｆ  右側面部
１２ｐ，１２ｑ，１２ｒ，１２ｓ，１２ｔ，１２ｕ，１２ｖ，１２ｗ  突出部
１４  被覆層
１６  支柱
１８  笠木
２０  支柱
３０  建築物用部材
Ｈ    貫通孔
【図１】
0003208556.tif 000003
【図２】
0003208556.tif 000004
【図３】
0003208556.tif 000005
【図４】
0003208556.tif 000006
【図５】
0003208556.tif 000007
【図６】
0003208556.tif 000008
【図７】
0003208556.tif 000009
【図８】
0003208556.tif 000010
【図９】
0003208556.tif 000011
【図１０】
0003208556.tif 000012
【図１１】
0003208556.tif 000013
【図１２】
0003208556.tif 000014